(57)【要約】【課題】  排水汚泥を脱水した脱水汚泥及び脱水汚泥を乾燥した乾燥汚泥から発生する臭気を低下させて、これらの取り扱いや処理における臭気の問題を解決する。【解決手段】  ホウ素、フッ素及びリンの少なくとも一つの存在下で、排水汚泥に微粉炭を添加して脱水、乾燥する。【選択図】        なし【特許請求の範囲】
【請求項１】
ホウ素、フッ素及びリンの少なくとも一つの存在下で、排水汚泥に微粉炭を添加する添加工程、
前記微粉炭が添加された前記排水汚泥を脱水処理する工程及び
脱水処理された前記排水汚泥を乾燥する乾燥工程、
を有することを特徴とする排水汚泥の処理方法。
【請求項２】
前記添加工程では、前記微粉炭を添加し、攪拌することが行われることを特徴とする請求項１に記載の排水汚泥の処理方法。
【請求項３】
前記微粉炭は、５０μｍ〜５００μｍの平均粒径を有することを特徴とする請求項１又は請求項２に記載の排水汚泥の処理方法。
【請求項４】
前記ホウ素、フッ素及びリンの少なくとも一つが０．５ｐｐｍ〜５００ｐｐｍ（対固形分濃度）存在する汚泥中に前記微粉炭を投入することを特徴とする請求項１〜３のいずれか１項に記載の排水汚泥の処理方法
【請求項５】
前記排水汚泥の固形分に対して、１０質量％〜２００質量％の前記微粉炭が添加されることを特徴とする請求項１〜４のいずれか１項に記載の排水汚泥の処理方法。
【発明の詳細な説明】
【技術分野】
【０００１】
本発明は、生活排水や工場排水から分離された排水汚泥の処理方法に関する。
【背景技術】
【０００２】
生活排水や工場排水は、一般に、活性汚泥法等の生物処理を施されるが、該処理から生じた有機性汚泥は、脱水・乾燥処理により固形化されて再利用又は廃棄物処理される。
【０００３】
しかして、前記有機性汚泥は、有機物を多量に含んでいるために、臭気が発生して、貯蔵や処理に支障を来すという問題があり、このような問題を解決するために、種々検討されている。
【０００４】
特許文献１では、脱水処理前の下水汚泥に沈降助剤として、また、脱水助剤として微粉炭を使用して、含炭汚泥ケーキを作製し、該含炭汚泥ケーキに、脱水−脱臭剤として粒径１ｍｍ以下の乾燥微粉炭を添加、混合することによって、その中に含まれる水分の量を、重量比で全重量中の１０％以下にして汚泥からの臭気の発生を抑制することが開示されている。
【０００５】
特許文献２では、排水処理設備から発生する汚泥に、その８０重量％以上が２００メッシュ以下の粒径の石炭微粒子を分散させた水分散液であるところのＣＷＭならびに有機高分子凝集剤を添加混合して汚泥を凝集させた後に脱水する汚泥の脱水法であって、前記有機高分子凝集剤としてアミジン塩構造単位を有する水溶性高分子を用いることが開示されている。
【特許文献１】特開昭６２−４２７９７号公報
【特許文献２】特開平６−１８２４００号公報
【発明の開示】
【発明が解決しようとする課題】
【０００６】
脱水・乾燥により固形化した汚泥から発生する臭気を抑制する技術は未だ十分ではなく、前記した従来技術によっても、この問題は解決されていない。
【０００７】
本発明は、排水汚泥の処理物から発生する臭気の発生を抑制して、取り扱い、運搬、貯蔵に適した固形化汚泥を作製することを可能にする処理方法を提供することを目的とする。
【課題を解決するための手段】
【０００８】
前記した本発明の目的は下記の発明により達成される。
１．
ホウ素、フッ素及びリンの少なくとも一つの存在下で、排水汚泥に微粉炭を添加する添加工程、
前記微粉炭が添加された前記排水汚泥を脱水処理する工程及び
脱水処理された前記排水汚泥を乾燥する乾燥工程、
を有することを特徴とする排水汚泥の処理方法。
２．
前記添加工程では、前記微粉炭を添加し、攪拌することが行われることを特徴とする前記１に記載の排水汚泥の処理方法。
３．
前記微粉炭は、５０〜５００μｍの平均粒径を有することを特徴とする前記１又は前記２に記載の排水汚泥の処理方法。
４．
前記ホウ素、フッ素及びリンの少なくとも一つが０．５ｐｐｍ〜５００ｐｐｍ（対固形分濃度）存在する汚泥中に前記微粉炭を投入することを特徴とする前記１〜３のいずれか１項に記載の排水汚泥の処理方法
５．
前記排水汚泥の固形分に対して、１０質量％〜２００質量％の前記微粉炭が添加されることを特徴とする前記１〜４のいずれか１項に記載の排水汚泥の処理方法。
【発明の効果】
【０００９】
請求項１〜５のいずれかの発明により、排水汚泥を脱水、乾燥して得られる固形の乾燥汚泥から発生する臭気が顕著に抑制されるので、該乾燥汚泥の取り扱い、運搬、貯蔵等の各種処理における臭気の問題が解決される。
【発明を実施するための最良の形態】
【００１０】
本発明は、ホウ素、フッ素及びリンの少なくとも一つの存在下で微粉炭を投入することを特徴とする。排水汚泥には、これらの元素を含有するものや含有しないものがあるが、本発明においては、被処理物としての排水汚泥中に、ホウ素、フッ素及びリンの少なくとも一つが含まれている場合には、被処理物に微粉炭を投入して、混合、脱水、乾燥の各処理が施されるが、被処理物としての排水汚泥中に、ホウ素、フッ素及びリンの少なくとも一つが含まれていないか、又は、含有量がきわめて微量である場合には、これらの元素を添加し、且つ、微粉炭を添加し、更に、混合、脱水、乾燥の各処理が施される。
【００１１】
このような排水汚泥としては、下水処理場での処理により生成した生活排水の排水汚泥や工場排水を処理することにより生成した排水汚泥があり、処理対象としては、微生物を用いた活性汚泥法により処理された有機性汚泥が多い。
【００１２】
本発明の実施の形態においては、液体状の排水汚泥に微粉炭を添加し、攪拌して混合した後に、ベルトプレス脱水機等の脱水装置で脱水し、含水率８０％程度の脱水汚泥とする。次に、該脱水汚泥を乾燥することにより、含水率４０％程度の固形物である乾燥汚泥が作製される。
【００１３】
このようにして作製された固形の乾燥汚泥は、燃料等として再利用されるか、又は焼却等の廃棄物処理される。
【００１４】
本発明において使用される微粉炭としては、平均粒径５０〜５００μｍの粒度を有するものが好ましい。そして、このような微粉炭としては、鉱山再洗微粉炭、亜炭鉱等からの切り込み原炭（未洗炭）を粉砕整粒装置にかけて得られる微粉炭、再生活性炭製造時に発生した微粉炭等が好ましい。また、微粉炭を、排水汚泥槽に直接投入することが好ましいが、水に分散されているスラリー状態の微粉炭を投入してもよい。
【００１５】
なお、平均粒径は、周知のふるい分け法により測定された数平均粒径である。
【００１６】
汚泥に対する微粉炭の添加量は、汚泥の固形分に対して１０質量％〜２００質量％が好ましい。特に好ましくは、２０質量％〜１００質量％である。
【００１７】
対固形分濃度で、０．５ｐｐｍ〜５００ｐｐｍのホウ素、フッ素及びリンの少なくとも一つの存在下で汚泥液中に微粉炭を投入し、攪拌することにより、臭気をより効果的に抑制することができる。
【００１８】
０．５ｐｐｍ以下では、臭気の抑制が不十分である。また、５００ｐｐｍ以上の濃度の排水汚泥は特殊なものとなるので研究する価値が低く、実験の対象からはずした。
【実施例】
【００１９】
ＭＬＳＳ（固形分濃度）８５００ｍｇ／Ｌの排水汚泥に微粉炭（クラレケミカル製クラレコール  ｐｋ）を０．３質量％〜１質量％添加し攪拌して混合し、１昼夜放置した。なお、微粉単の添加量「％」は、液分を含む全体質量に対する量である。
【００２０】
翌日、塩化鉄２００ｍｇ／Ｌ（Ｆｅ濃度）を添加した後、ベルトプレス脱水機にて脱水し、脱水汚泥を作製した。得られたサンプルを強乾燥して含水量と臭気を測定した。
【００２１】
更に、三菱マテリアルテクノ製デスクドライヤーを用いて乾燥し乾燥汚泥を作製した。得られた乾燥汚泥は、含粋水率４０％程度の固形物であった。乾燥条件は次のとおりである。
【００２２】
羽根回転数：２３回毎分
デスクジャケット圧力：０．５×１０4Ｐａ
デスクジャケット温度：１５０℃
作製した乾燥汚泥を３０分放置した後に、サンプルの臭気を測定した。
【００２３】
サンプルとしては、前記排水汚泥にホウ素、フッ素又はリンを添加することにより、これらの元素を含有しないサンプル、ホウ素を含有するサンプル、フッ素を含有するサンプル及びリンを含有するサンプル、さらに、これら各サンプルについて微粉炭を添加しないもの、微粉炭を添加し添加量を変えたものを作製し、各サンプルについて、これら元素の定量及び臭気の測定を行った。
【００２４】
ホウ素、フッ素、リンの添加及び定量を次のように行った。
【００２５】
ホウ素：ホウ酸を排水汚泥に加えることで、ホウ素を添加したが、前処理として、ホウ酸５００ｍｇをアルカリ溶融し、更に超純水に溶解して、５０ｍｌの溶液とし、該溶液を排水汚泥に添加した。
【００２６】
そして、ホウ素濃度を測定することにより定量した。
【００２７】
フッ素：フッ化カリウムを添加。燃焼フラスコ法にて前処理してイオンクロマトにて測定し定量した。
【００２８】
リン：リン酸ナトリウムを添加。工場排水試験法にて測定し定量した。
【００２９】
また、横川電機（株）製ポータブルＶＯＣモニタＰＭＧ７６００を用いて各サンプルについて臭気を測定した。
【００３０】
表１は、測定結果を示す。なお、表中のホウ素、フッ素、リンの含有量は塩化鉄添加前の排水汚泥中の濃度である。
【００３１】
表１から明らかなように、本発明の実施例に係るサンプルでは、臭気がきわめて低く、ホウ素、フッ素又はリンの含有する脱水汚泥及び乾燥汚泥において、微粉炭を添加することにより、臭気がきわめて少くなったことが分かる。そして、本発明の実施例からは、臭気がほとんど知覚されなかったが、比較例からは臭気が知覚された。
【００３２】
【表１】
2005169194.tif 000002